(57)【要約】【課題】製造ラインにおいて嵌合時のウィンドウガラスへの悪影響を防止し、狭いところでも着脱が容易且つ確実なアンテナ用コネクタ組立体を提供する。【解決手段】アンテナ素子とケーブルを接続するためのアンテナ用コネクタ組立体は、プラグ部１０とソケット部２０とからなる。プラグ部１０にはケーブル１１が接続される。ソケット部２０にはアンテナ素子が接続され、プラグ部１０が嵌合する。ソケット部２０は、プラグ部１０をソケット部２０の長手方向にスライドさせて挿入可能な挿入口２０１を有している。また、プラグ部１０は、挿入口２０１に対して斜め方向に挿入し始めるときのソケット部２０への当接部に傾斜面１０１を有する。【選択図】図３
2008187414.tif 000002
【特許請求の範囲】
【請求項１】
アンテナ素子とケーブルを接続するためのアンテナ用コネクタ組立体であって、該アンテナ用コネクタ組立体は、
ケーブルが接続されるプラグ部と、
アンテナ素子に接続され、前記プラグ部が嵌合されるソケット部と、
を具備し、
前記ソケット部は、前記プラグ部を前記ソケット部の長手方向にスライドさせて挿入可能な挿入口を有し、
前記プラグ部は、前記挿入口に対して斜め方向に挿入し始めるときの前記ソケット部への当接部に傾斜面を有する、
ことを特徴とするアンテナ用コネクタ組立体。
【請求項２】
請求項１に記載のアンテナ用コネクタ組立体において、前記ソケット部は略直方形状を有し、前記傾斜面が当接する当接面に対向する対向面が、当接面及びその両側面よりも短いことを特徴とするアンテナ用コネクタ組立体。
【請求項３】
請求項１又は請求項２に記載のアンテナ用コネクタ組立体において、前記プラグ部は略直方形状を有し、前記プラグ部の前記傾斜面の側面が、さらに、長手方向及び／又は短辺方向にテーパ状に形成されることを特徴とするアンテナ用コネクタ組立体。
【請求項４】
請求項１乃至請求項３の何れかに記載のアンテナ用コネクタ組立体において、前記プラグ部と前記ソケット部との間の信号接続端子部は、前記傾斜面を設けたことによりできるスペース近傍に配置されることを特徴とするアンテナ用コネクタ組立体。
【請求項５】
請求項１乃至請求項４の何れかに記載のアンテナ用コネクタ組立体において、前記プラグ部と前記ソケット部との間のグラウンド接続端子部は、前記プラグ部の前記傾斜面の両側面に位置することを特徴とするアンテナ用コネクタ組立体。
【請求項６】
請求項１乃至請求項５の何れかに記載のアンテナ用コネクタ組立体において、前記プラグ部及び前記ソケット部は、各々と着脱可能とするための係止手段をそれぞれ有することを特徴とするアンテナ用コネクタ組立体。
【請求項７】
請求項６に記載のアンテナ用コネクタ組立体において、前記プラグ部はケーブルかしめ部を有し、前記係止手段は前記ケーブルかしめ部近傍のスペースに配置されることを特徴とするアンテナ用コネクタ組立体。
【発明の詳細な説明】
【技術分野】
【０００１】
本発明はアンテナ用コネクタ組立体に関し、特に、長手方向にスライドさせて挿入することで接続可能なアンテナ用コネクタ組立体に関する。
【背景技術】
【０００２】
車両のウィンドウガラスに貼り付けられたフィルムアンテナやガラスにアンテナ素子がプリントされているガラスアンテナ等の給電部と、車内に設けられるチューナ等の外部機器からのケーブルとを電気的に接続するために、コネクタが一般的に用いられている。この種のコネクタとしては、例えば特許文献１に記載のものが知られている。特許文献１に記載されるようなコネクタは、ソケットとプラグとからなるものである。ソケットは、端子を底部に露出させた状態で保持し、端子をアンテナの給電部に押し当てた状態でアンテナ素子に貼着され、上部に開口を有している。また、プラグは、外部機器からのケーブルが電気的に接続されており、着脱自在にソケットの開口に上部から嵌合するように構成されている。このように構成されたプラグをソケットの短辺方向、すなわちガラス面に対して垂直方向に嵌合することで、アンテナ素子とケーブルが電気的に接続される。
【０００３】
また、特許文献１のような構造のコネクタにおいて、ソケットからプラグを取り外す場合には、プラグに設けられた係止爪を押してソケットより開放させ、プラグを回動させていた。
【０００４】
【特許文献１】特開２００４−８２７４９号公報
【発明の開示】
【発明が解決しようとする課題】
【０００５】
特許文献１のような構造のコネクタの場合、製造ラインにおいて車両のウィンドウガラスに貼着されたソケットにプラグを嵌合するときに、ガラス面に対して垂直方向に大きな負荷がかかるため、車両ボディにガラスを固定するための接着剤が十分に乾いてない場合には、ガラスがずれてしまったり外れてしまったりする恐れがあった。
【０００６】
また、コネクタにより運転者の視界を遮らないようにするために、コネクタはウィンドウガラスの縁部に設置されることが多い。しかしながら、ガラス面に対して垂直方向に嵌合する構造の場合には、プラグが車両の内面被覆材や天井に取り付けられる付属品等に干渉してしまい、嵌合するのが困難な場合があった。
【０００７】
さらに、ソケットからプラグを取り外す場合にも、従来のコネクタは片手で容易に取り外すことは難しい構造であった。
【０００８】
本発明は、斯かる実情に鑑み、製造ラインにおいて嵌合時のウィンドウガラスへの悪影響を防止し、狭いところでも着脱が容易且つ確実なアンテナ用コネクタ組立体を提供しようとするものである。
【課題を解決するための手段】
【０００９】
上述した本発明の目的を達成するために、本発明によるアンテナ用コネクタ組立体は、ケーブルが接続されるプラグ部と、アンテナ素子に接続され、プラグ部が嵌合されるソケット部と、を具備し、ソケット部は、プラグ部をソケット部の長手方向にスライドさせて挿入可能な挿入口を有し、プラグ部は、挿入口に対して斜め方向に挿入し始めるときのソケット部への当接部に傾斜面を有するものである。
【００１０】
ここで、ソケット部は略直方形状を有し、傾斜面が当接する当接面に対向する対向面が、当接面及びその両側面よりも短いものでも良い。
【００１１】
また、プラグ部は略直方形状を有し、プラグ部の傾斜面の側面が、さらに、長手方向及び／又は短辺方向にテーパ状に形成されていても良い。
【００１２】
また、プラグ部とソケット部との間の信号接続端子部は、傾斜面を設けたことによりできるスペース近傍に配置されても良い。
【００１３】
また、プラグ部とソケット部との間のグラウンド接続端子部は、プラグ部の傾斜面の両側面に位置していても良い。
【００１４】
さらにまた、プラグ部及びソケット部は、各々と着脱可能とするための係止手段をそれぞれ有していても良い。
【００１５】
ここで、プラグ部はケーブルかしめ部を有し、係止手段はケーブルかしめ部近傍のスペースに配置さていても良い。
【発明の効果】
【００１６】
本発明のアンテナ用コネクタ組立体には、着脱が容易なため製造ラインでの作業性が向上し、さらにコネクタ組立体の小型化も可能であるという利点がある。
【発明を実施するための最良の形態】
【００１７】
以下、本発明を実施するための最良の形態を図示例と共に説明する。図１は、本発明のアンテナ用コネクタ組立体を構成するプラグを説明するための図であり、図１（ａ）はプラグの斜視図、図１（ｂ）はプラグの底面図、図１（ｃ）はプラグのｃ−ｃ側面断面図、図１（ｄ）はプラグのｄ−ｄ底面断面図、図１（ｅ）はプラグのｅ−ｅ正面断面図である。また、図２は、本発明のアンテナ用コネクタ組立体を構成するソケットを説明するための図であり、図２（ａ）はソケットの斜視図、図２（ｂ）はソケットの上面図、図２（ｃ）はソケットのｃ−ｃ側面断面図、図２（ｄ）はソケットのｄ−ｄ上面断面図、図２（ｅ）はソケットのｅ−ｅ正面断面図である。さらに、図３は、本発明のアンテナ用コネクタ組立体のソケットにプラグを嵌合した場合を説明するための図であり、図３（ａ）はソケットをプラグに嵌合開始するときの側面一部断面図、図３（ｂ）はソケットをプラグに嵌合し終えたときの斜視図、図３（ｃ）はソケットをプラグに嵌合したときの側面断面図である。
【００１８】
本発明のアンテナ用コネクタ組立体は、車両のウィンドウガラス等に貼り付けられたフィルムアンテナや、ガラスにアンテナ素子がプリントされているガラスアンテナ等の給電部と、車内に設けられるチューナ等の外部機器からのケーブルとを電気的に接続するためのものであり、プラグとソケットとからなるものである。図１に示されるように、プラグ１０にはケーブル１１の一端が接続されており、ケーブル１１の他端は図示していない外部機器に接続されている。また、プラグ１０のソケット２０への挿入側端部には、傾斜面１０１が設けられている。そして、図２に示されるように、ソケット２０はプラグ１０をソケット２０の長手方向にスライドさせて挿入可能な挿入口２０１を有している。
【００１９】
図３に示されるように、プラグ１０に設けられた傾斜面１０１は、ソケット２０の挿入口２０１に対して斜め方向に挿入し始めるときのソケット２０への当接部に設けられている。プラグ１０をソケット２０へ斜め方向から挿入し、ソケット２０の長手方向に平行になるように傾きを戻しながらさらに長手方向にスライドさせることで、プラグ１０がソケット２０に完全に嵌合して電気的に接続される。本発明のアンテナ用コネクタ組立体は、このように斜め方向からプラグをソケットに挿入可能な構成としたため、完全にソケットとプラグを同じ方向に向けた後にスライドさせて嵌合する必要がないので、プラグ挿入時の位置合わせが容易となる。
【００２０】
アンテナ用コネクタ組立体は、ウィンドウガラスの縁部に設置されることが多いが、本発明によれば、斜め方向から挿入を開始しスライドさせて嵌合させる構造であるため、車両の内面被覆材や天井に取り付けられる付属品等が障害になり難く、製造ラインにおける組み付けの作業性が向上する。さらに、製造ラインにおいて、車両のウィンドウガラスに貼着されたソケットにプラグを嵌合するときに、ガラス面に対して垂直方向には負荷があまりかからないため、車両ボディにガラスを固定するための接着剤が十分に乾いてない場合でもガラスがずれてしまったり外れてしまったりすることがない。
【００２１】
以下、本発明のアンテナ用コネクタ組立体の好適実施例をより具体的に説明する。なお、図示例ではプラグ及びソケットがそれぞれ略直方形状を有するものを示しているが、本発明はこれに限定されず、略円柱形状を有するものであっても構わない。すなわち、本発明のアンテナ用コネクタ組立体は、ソケットがプラグを長手方向にスライドさせて挿入可能な挿入口を有するものであり、且つプラグが、ソケットへの挿入側端部に傾斜面をコネクタの挿入口に対して斜め方向に挿入し始めるときの当接部に傾斜面を有するものであれば、その外形状は図示例のような形状に限定されるものではない。さらに、略直方形状という用語も、プラグ及びソケットが６面体であることを限定するものでは必ずしもなく、本明細書では、傾斜面を有していたり斜めにカットされる面を有していたり開口を有するものであっても含まれる用語である。また、図示例ではアンプ等の回路基板を内蔵したプラグを示しているが、本発明はこれに限定されず、ケーブルをソケットに接続するためのプラグであれば如何なる構造であっても構わない。なお、本発明のコネクタ組立体を用いれば、回路基板を内蔵したプラグであっても小型化することも可能である。
【００２２】
まず、図１を参照して本発明のアンテナ用コネクタ組立体のプラグについて説明する。図１を参照すると、プラグ１０は略直方形状を有するプラグハウジング１０２と、基板１０３と、グラウンド部材１０４と、信号接続端子１０６とから主になるものである。基板１０３にはアンプ回路等が載置されており、ケーブル１１の信号線が基板１０３の入力端子に接続されている。
【００２３】
グラウンド部材１０４は導電性部材からなり、基板１０３を囲むように提供され、基板１０３のグラウンドとなるように構成される。ここで、グラウンド部材１０４のケーブル１１側の部分には、ケーブルかしめ部１１４が形成されており、ケーブル１１はケーブルかしめ部１１４によりかしめ留めされている。ケーブルかしめ部１１４とケーブル１１のグラウンド線は導通しており、グラウンド線とケーブルかしめ部１１４とグラウンド部材１０４が等電位となるように構成されている。なお、このようなグラウンド部材は、例えば本願出願人と同一出願人による特願２００６−１７８６４７に詳細は記載されているため、本願では詳説を省略する。
【００２４】
プラグハウジング１０２は絶縁性部材からなり、上述のような構造体を覆うように提供される。プラグハウジング１０２には、そのソケット２０への挿入側端部に傾斜面１０１が設けられている。より具体的には、傾斜面１０１は、図３に示されるように、ソケット２０の挿入口２０１に対してプラグ１０を斜め方向に挿入し始めるときのソケット２０への当接部に設けられており、ソケット２０への挿入側端部に向かって細くなっていくように形成されている。プラグの長手方向に対する傾斜面の角度は、挿入口２０１へ挿入し易い角度であれば特に限定されるものではないが、例えば５度程度から６０度程度、好ましくは１０度程度から４５度程度に設定されていれば良い。さらに、プラグ先端部の細さ（厚さ）については、プラグハウジング１０２の内部に収められる構造体に応じて適宜変更可能なものである。また、図示例ではプラグ１０のソケット２０への当接部、すなわち底面側のみに傾斜面が設けられているが、さらに上面側に設けられていても構わない。但し、プラグ１０のソケット２０への逆挿し防止のためには、非対称に形成されていることが好ましい。
【００２５】
また、図示例のプラグハウジング１０２は、プラグハウジング１０２の傾斜面１０１の両側面が、長手方向及び短辺方向にテーパ状に形成されている。すなわち、プラグハウジング１０２は、図１（ｂ）の底面図に示されるように、長手方向、すなわちソケット２０への挿入側に向かってにテーパ状に形成されている。これによりプラグ１０をソケット２０へさらに挿入し易くなる。また、プラグハウジング１０２は、図１（ｅ）の正面断面図に示されるように、短辺方向、すなわち上面から底面に向かってテーパ状に形成されている。これにより、プラグ１０をソケット２０へさらに挿入し易くなると共に、ソケット２０をこの形状に対応した形状とすることで、プラグ１０のソケット２０への逆挿しを防止することも可能となる。なお、図示例では傾斜面１０１の両側面がテーパ状に形成されている例を示したが、本発明はこれに限定されず、挿入し易く逆挿し防止可能であれば一方の側面だけがテーパ状に形成されていても構わない。
【００２６】
さらに、プラグハウジング１０２の傾斜面１０１には、信号接続端子用孔１１１が設けられている。また、傾斜面１０１が設けられるソケット２０への挿入側端に対向する他端側には、ケーブル１１が挿通されるケーブル用孔１１２が設けられている。信号接続端子用孔１１１を介して、電気的接続部である信号接続端子１０６と後述のソケット２０の給電端子２０６とが接続可能に構成されている。
【００２７】
信号接続端子１０６は、図示例では差込型端子を用いたものが示されており、基板１０３に載置される回路の出力端子を構成するように基板１０３に配置されている。なお、信号接続端子１０６の形状は図示例のものに限定されず、ソケット側の給電端子との組み合わせにより、バネ端子を用いたものや伸縮ピンを用いたものであっても良い。しかしながら、接触の確実性やインピーダンスの安定性からは、差込型端子を用いたものが好ましい。さらに、差込型メス端子の差込面が図示例では傾斜面１０１と平行になるように配置されているが、プラグをスライドさせて挿入したときにオス端子が差し込まれるように配置されていれば、差込面の角度はこれに限定されるものではない。また、図示例ではプラグ側にメス端子を設けソケット側にオス端子を設けている例を示したが、逆の構成であっても勿論構わない。
【００２８】
さらに、プラグハウジング１０２には、グラウンド部材１０４が外部に一部露出するようにグラウンド用孔１０５が設けられている。グラウンド用孔１０５は、図示例ではソケット２０への挿入側近傍の両側面に設けられており、グラウンド用孔１０５を介して、後述のソケット２０側のグラウンド端子２０５と接続可能に構成されている。なお、後述のソケット２０のグラウンド端子２０５がグラウンド部材１０４の両側面を挟持するように構成されているため、プラグ挿入時にプラグハウジング１０２がグラウンド端子２０５に干渉しないように、グラウンド用孔１０５はプラグの挿入側端から設けられている。
【００２９】
なお、グラウンド部材１０４と後述のグラウンド端子２０５とが等電位となり、接触確実性が高くインピーダンスが安定する構成である限り、グラウンド用孔１０５の配置位置は図示例に限定されず、プラグ底面等、如何なる位置にあっても構わない。また、基板を用いない単なる接続コネクタの場合には、グラウンド部材は単なるグラウンド端子とし、ソケット側のグラウンド端子とグラウンド用孔を介して導通するように構成されていれば良い。
【００３０】
さらに、プラグハウジング１０２には、係止爪１０８が設けられている。係止爪１０８は、後述のソケット２０の係止孔２０８に係止するものであり、係止爪１０８と共に設けられる係止つまみ１０９を用いてプラグ１０とソケット２０とをそれぞれ着脱可能とするためのものである。より具体的には、一対の係止爪１０８が、プラグハウジング１０２のケーブル１１側の両側面に設けられており、プラグ１０のソケット２０への挿入が完了するところで係止孔２０８に係止するものである。また、係止つまみ１０９は、係止爪１０８から延在して設けられるものであり、係止つまみ１０９を指でつまむことで、係止爪１０８がプラグハウジング１０２の内側に撓む構造となっている。なお、係止爪１０８及び係止つまみ１０９は、プラグハウジング１０２と一体成型されれば良い。また、図示例では係止爪１０８がプラグ１０側に設けられ、係止孔２０８がソケット２０側に設けられる例を示したが、本発明はこれに限定されず、着脱可能であれば逆の構成であっても構わない。
【００３１】
プラグ１０をソケット２０に差し込むときには、係止つまみ１０９をつまんで差し込む。このとき、係止爪１０８がソケット２０の挿入口付近でソケット２０の内側壁に当接しプラグハウジング１０２の内側に一旦撓む。さらに挿入を進めると、係止爪１０８は係止孔２０８のところで弾性力で押し戻され、係止孔２０８に係止してソケット２０にプラグ１０が固定される。また、プラグ１０をソケット２０から取り外すときには、両側面の係止つまみ１０９を指で挟むことで係止爪１０８をプラグハウジング１０２の内側に撓ませ、係止孔２０８から係止爪１０８を開放し、この状態でプラグ１０を引き出せば良い。
【００３２】
このように、係止爪１０８及び係止つまみ１０９を設けた場合、プラグハウジング１０２の内側に撓むためのスペースが必要となる。本発明のコネクタ組立体では、図１（ｄ）に示すように、係止爪１０８及び係止つまみ１０９が、好ましくはケーブルかしめ部１１４の近傍のスペースに配置される。こうすることにより、プラグハウジング１０２内に収められる基板１０３やグラウンド部材１０４に干渉しないデッドスペースに、係止爪１０８や係止つまみ１０９を設けることができるため、プラグハウジング１０２が大きくなることを防止することが可能となる。
【００３３】
次に、図２を参照して本発明のアンテナ用コネクタ組立体のソケットについて説明する。図２を参照すると、ソケット２０は略直方形状を有するソケットハウジング２０２と、グラウンド端子２０５と、給電端子２０６とから主になるものである。グラウンド端子２０５は、ボディアース等に接続され、給電端子２０６はアンテナ素子の給電部に接続される。なお、図示例ではアンテナ素子側の端子がガラスアンテナの場合の例を示しているが、本発明はこれに限定されず、フィルムアンテナやシートアンテナ、貼付型アンテナ等、あらゆるアンテナに適用可能である。
【００３４】
ソケットハウジング２０２は絶縁性部材からなり、プラグ１０が嵌合されるように構成されている。ソケットハウジング２０２には、プラグ１０をソケット２０の長手方向にスライドさせて挿入できるような挿入口２０１が設けられている。挿入口２０１は、図示例ではソケットハウジング２０２の長手方向の端部に設けられており、ソケットハウジング２０２の上面が底面及び両側面よりも短く形成されている。また、ソケットハウジング２０２の挿入口２０１側の端面は、プラグ１０の係止つまみ１０９が当接し、係止つまみ１０９が咬合するように、階段状に形成されている。なお、この端面は直線状又は曲線状に、さらには斜めになっていても構わず、プラグ１０をソケット２０に嵌合したときに端面の凹凸が少ないように構成されていることが好ましい。
【００３５】
また、図示例では係止爪１０８を係止するための係止孔２０８を示したが、本発明はこれに限定されず、係止爪が係止するものであれば孔状のものではなく溝状のものであっても構わない。
【００３６】
なお、図示例のソケット２０は、図３に示されるように斜め上方向から挿入し始める構成であるため、上面が短く形成されているが、斜め横方向から挿入し始める構成の場合には、一方の側面が他方の側面、上面及び底面よりも短く形成される。すなわち、本発明のアンテナ用コネクタ組立体のソケットハウジング２０２は、プラグ１０の傾斜面１０１が当接する当接面に対向する対向面が、当接面及びその両側面よりも短く構成されれば良い。このように構成することで、プラグ１０の挿入を容易とするだけでなく、図２（ｂ）の上面図に示されるように、取り付け作業時に車両内からソケットを見たときに、挿入する方向が容易に把握できるようにもなる。なお、挿入方向を把握するための指標にしたいだけの場合には、傾斜面１０１が当接する当接面をその両側面よりも長くなるように構成するだけでも良い。
【００３７】
グラウンド端子２０５は、プラグハウジング１０２のグラウンド用孔１０５を介してグラウンド部材１０４と導通するように構成されている。グラウンド端子２０５は、図２（ｅ）に示されるように、グラウンド部材１０４の両側面を挟持可能なように可撓性を持って構成されている。また、給電端子２０６は、アンテナ素子の給電部に接続されており、ピン状に設けられている。なお、図示例では給電端子２０６は差込型オス端子を示しており、プラグがソケットに嵌合すると差込型メス端子である信号接続端子１０６に差し込まれて電気的に接続されるものである。
【００３８】
図３（ｃ）に示されるように、プラグ１０をソケット２０に嵌合し終わると、グラウンド端子２０５がグラウンド部材１０４を挟持するように電気的に接続されると共に、給電端子２０６が差込型メス端子である信号接続端子１０６に差し込まれて電気的に接続される。同図に示されるように、プラグ１０とソケット２０の間の信号接続部は、傾斜面１０１を設けたことによりできたスペースに配置されている。なお、プラグ１０とソケット２０の間の信号接続部を構成する信号接続端子１０６と給電端子２０６は、傾斜面１０１を設けたことによりできたスペースの近傍に配置されていれば良く、さらに好ましくは、プラグ１０の先端よりも内側に信号接続部が配置されていれば良い。このように配置することで、コネクタ組立体の長さを短くすることが可能となる。また、図示例では信号接続端子１０６が信号接続端子用孔１１１の内側に位置しているが、信号接続端子１０６を信号接続端子用孔１１１から突出させて外側に位置するようにしても良い。
【００３９】
なお、プラグ１０とソケット２０の間の信号接続部は、傾斜面１０１を設けたことによりできたスペースに配置される必要は必ずしもなく、ソケット２０側の給電端子２０６と電気的に接続可能に構成されていれば、プラグ１０のソケット２０への挿入側の端面や底面に設けられても良い。図４に、プラグ１０のソケット２０への挿入側の端面に信号接続部が設けられている例を示す。図示のとおり、信号接続端子用孔１１１が挿入側の端面に設けられており、これを介して信号接続端子１０６と給電端子２０６とが接続される。このような構成は、コネクタ組立体の高さを低くした場合やより大きな端子を用いて信号接続部の接触確実性の向上やインピーダンスの安定化を目指す場合に有用である。なお、図示例のようなプラグ１０のソケット２０への挿入側の端面に信号接続部が設けられる例でも、信号接続端子１０６を信号接続端子用孔１１１から突出させて外側に位置するようにしても良い。
【００４０】
本発明のアンテナ用コネクタ組立体は、図３（ａ）に示されるように、プラグ１０をソケット２０の挿入口２０１に対して斜め方向に挿入し始めることが可能となるため、挿入時の位置合わせが容易となり、スムーズにソケット２０の長手方向にスライドさせて嵌合することが可能となる。また、ソケットハウジング２０２の両側面が上面より長くなっているため、左右方向の位置合わせも容易となる。
【００４１】
本発明のアンテナ用コネクタ組立体によれば、ウィンドウガラスに対しては、嵌合開始するときには斜めにプラグを挿入するため垂直方向の力が分散され、また、嵌合し終えるときには主に横方向の力しか加わらないため、製造ラインにおいて車両ボディにガラスを固定するための接着剤が十分に乾いていない場合であっても、ガラスが外れてしまったりすることが防止できる。また、斜め方向や横方向から嵌合することが可能となるため、狭いところでも着脱が容易となる。さらに、プラグをソケットから取り外す場合には、両側面の係止つまみを指で挟んでプラグを引き出せば良いため、片手で簡単に取り外すことが可能となる。また、プラグの着脱には大きな力が不要となるため、プラグにかかる衝撃も小さい。このため、アンプ回路等を内蔵するプラグに適用すれば、アンプ回路等が衝撃で破損することを防止することも可能である。
【００４２】
なお、本発明のアンテナ用コネクタ組立体は、上述の図示例にのみ限定されるものではなく、本発明の要旨を逸脱しない範囲内において種々変更を加え得ることは勿論である。例えば、上述の図示例では傾斜面は直線状のものを示したが、本発明はこれに限定されず、曲面状の傾斜面であっても構わない。また、全体として傾斜面となっていれば階段状になっていても構わない。
【図面の簡単な説明】
【００４３】
【図１】図１は、本発明のアンテナ用コネクタ組立体を構成するプラグを説明するための図であり、図１（ａ）はプラグの斜視図、図１（ｂ）はプラグの底面図、図１（ｃ）はプラグのｃ−ｃ側面断面図、図１（ｄ）はプラグのｄ−ｄ底面断面図、図１（ｅ）はプラグのｅ−ｅ正面断面図である。
【図２】図２は、本発明のアンテナ用コネクタ組立体を構成するソケットを説明するための図であり、図２（ａ）はソケットの斜視図、図２（ｂ）はソケットの上面図、図２（ｃ）はソケットのｃ−ｃ側面断面図、図２（ｄ）はソケットのｄ−ｄ上面断面図、図２（ｅ）はソケットのｅ−ｅ正面断面図である。
【図３】図３は、本発明のアンテナ用コネクタ組立体のソケットにプラグを嵌合した場合を説明するための図であり、図３（ａ）はソケットをプラグに嵌合開始するときの側面一部断面図、図３（ｂ）はソケットをプラグに嵌合し終えたときの斜視図、図３（ｃ）はソケットをプラグに嵌合したときの側面断面図である。
【図４】図４は、本発明のアンテナ用コネクタ組立体のプラグのソケットへの挿入側の端面に信号接続部が設けられた例を説明するための側面断面図である。
【符号の説明】
【００４４】
１０    プラグ
１１    ケーブル
２０    ソケット
１０１    傾斜面
１０２    プラグハウジング
１０３    基板
１０４    グラウンド部材
１０５    グラウンド用孔
１０６    信号接続端子
１０８    係止爪
１０９    係止つまみ
１１１    信号接続端子用孔
１１２    ケーブル用孔
１１４    ケーブルかしめ部
２０１    挿入口
２０２    ソケットハウジング
２０５    グラウンド端子
２０６    給電端子
２０８    係止孔
【図１】
2008187414.tif 000003
【図２】
2008187414.tif 000004
【図３】
2008187414.tif 000005
【図４】
2008187414.tif 000006